(57)【要約】      （修正有）【課題】金属触媒を使用せず、かつ残存モノマー等の除去工程を必要とせずに、開環重合性モノマーから、１段階の工程で、残存モノマーが少なく、かつ色相が優れ、ラセミ化を起こさない高分子量のポリマーを高収率で製造できる方法の提供。【解決手段】圧縮性流体中で、下式（１）及びある特定の他の異なる２つの構造式で表される化合物から選ばれる触媒を用いて開環重合性モノマーを重合させるポリマーの製造方法。2016060897.tif 000021（Ｒ１及びＲ２は各々独立にパーフルオロアルキル基）【選択図】なし【特許請求の範囲】
【請求項１】
圧縮性流体中で、少なくとも下記構造式（１）〜（３）のいずれかの構造式で表される化合物を触媒として用いて開環重合性モノマーを重合させることを特徴とするポリマーの製造方法。
【化１】
2016060897.tif 000018
（式中、Ｒ１およびＲ２はパーフルオロアルキル基を表し、Ｒ１およびＲ２はそれぞれ同一でも異なっていても良い。）
【化２】
2016060897.tif 000019
（式中、Ｒ１およびＲ２はパーフルオロアルキル基を表し、Ｒ１およびＲ２はそれぞれ同一でも異なっていても良い。また、Ｒ３はアリール基を表す。）
【化３】
2016060897.tif 000020
（式中、Ｒ１およびＲ２はパーフルオロアルキル基を表し、Ｒ１およびＲ２はそれぞれ同一でも異なっていても良い。）
【請求項２】
前記開環重合性モノマーのポリマー転化率が９５モル％以上であることを特徴とする請求項１に記載のポリマーの製造方法。
【請求項３】
前記圧縮性流体が二酸化炭素からなることを特徴とする請求項１または２に記載のポリマーの製造方法。
【請求項４】
前記開環重合性モノマーがエステル結合を環内に有するモノマーであることを特徴とする請求項１〜３のいずれかに記載のポリマーの製造方法。
【請求項５】
前記エステル結合を環内に有するモノマーが、環状エステル又は環状カーボネートであることを特徴とする請求項４に記載のポリマーの製造方法。
【請求項６】
前記環状エステルが、下記一般式１で表される化合物のＬ体及び／又はＤ体を脱水縮合して得られる環状２量体であることを特徴とする請求項５に記載のポリマーの製造方法。
Ｒ−Ｃ＊−Ｈ（−ＯＨ）（ＣＯＯＨ）          （一般式１）
（Ｒは炭素数１〜１０のアルキル基）
【請求項７】
前記環状２量体がＬ体及び／又はＤ体の乳酸ラクチドであることを特徴とする請求項６に記載のポリマーの製造方法。
【請求項８】
請求項７に記載のポリマーの製造方法によって得られたポリ乳酸であって、乳酸ラクチドのＬ体由来の光学純度をＡ％とし、ポリ乳酸のＬ体由来の光学純度をＢ％とした場合、Ｂ＝（Ａ±２）％であることを特徴とするポリ乳酸。
【発明の詳細な説明】
【技術分野】
【０００１】
本発明は、圧縮性流体中、有機触媒存在下で開環重合性モノマーを重合させてポリマーを製造する方法に関する。
【背景技術】
【０００２】
石油由来のプラスチックの多くは軽く強靭で耐久性に優れ、容易に所望の形に成形できるので、量産されて我々の生活を多岐にわたって支えてきた。しかし、これらのプラスチックは、環境中に廃棄された場合、容易に分解されずに蓄積する。また、焼却の際に大量の二酸化炭素を放出するため、地球温暖化に拍車を掛けている。
よって、地球環境保護の目的から、非石油原料からなる樹脂、又は自然環境下で微生物等によって分解される生分解性樹脂が注目され、近年世界中で研究されている。現在検討されている生分解性樹脂のほとんどは、脂肪族カルボン酸エステル単位を有し、微生物により分解され易い。その反面、熱安定性に乏しく、溶融紡糸、射出成形、溶融製膜などの高温に晒される成形工程における分子量低下が深刻である。
その中でもポリ乳酸は、原料である乳酸又はそのラクチド（環状ジエステル）が、天然物から製造可能である上に、耐熱性に優れ、色相、機械強度のバランスが取れたプラスチックである。
【０００３】
開環重合性モノマーの一例としてポリ乳酸の出発原料であるラクチドが知られている。ラクチドを出発原料としたポリ乳酸の製造は、一般的にはＬ−乳酸又はＤ−乳酸のラクチドにオクチル酸スズ等の金属触媒を添加し、不活性ガス雰囲気中、大気圧又は減圧下、２００℃付近で溶融重合を行っている。この方法によれば、比較的高分子量のポリ−Ｌ−乳酸又はポリ−Ｄ−乳酸が得られる。しかしながら、前記金属触媒は、酸による洗浄や脱金属等の工程を行わないとポリ乳酸中に残存し、ポリ乳酸の耐熱性や安全性に悪影響を及ぼすし、高温で重合を行うため多大なエネルギーを必要とするといった問題があった。
【０００４】
また、ポリ乳酸の重合系では、ポリ乳酸とラクチドとの間に平衡関係が成立しており、２００℃付近の溶融重合では得られるポリ乳酸中にラクチドが残存することは避けられない。ポリ乳酸中に含まれるラクチドやポリ乳酸の分解物等の不純物は、成形時に異物発生の因子となる他、ポリ乳酸の物性（ガラス転移点温度及び溶融粘度）を低下させ、成形加工性、熱安定性を著しく劣下させる原因となる。このため、ポリ乳酸中のラクチドを真空下で除去する操作を行ったり、再沈殿や温水中での抽出等の操作が一般的に行われている（特許文献１）。しかし、これらの操作も金属触媒の除去と同様に、工程及びエネルギーの増加や、収率低下によるコストアップの要因となる。これらの問題は、ポリ乳酸の製造に限らず、ε−カプロラクトン等の他の開環重合性を有するモノマーを出発原料としたポリマーの製造に共通するものである。
【０００５】
一方、実質的に金属を含まない触媒の存在下でポリ乳酸を得る試みがなされている。例えば、特許文献２では、有機触媒を使用し、塩化メチレン溶媒中でラクチドの開環重合を行っている。この方法では、高収率でポリ乳酸を得ることができるが、溶媒を除去しポリ乳酸を取り出す工程が増えるため、やはりコストが増大し、溶媒を除去するための多大なエネルギーが必要となるという問題があった。
【０００６】
この問題を解決するため、溶媒として超臨界二酸化炭素を活用することが検討されている（非特許文献１）。超臨界二酸化炭素を溶媒にすると、廃液等が発生しない上、乾燥したポリマーが１段階の工程で得られる点で有利である。しかしながら非特許文献１には昨今使用規制等が叫ばれているスズ触媒を使用してラクチドを開環重合した例が記載されているのみである。しかも、この例では、反応時間が２４時間以上と長時間であり、かつ加えたラクチドのポリ乳酸への転化率が８５質量％と不十分なため、そのまま成型加工等に使用することは困難であった。さらに超臨界二酸化炭素を溶媒として使用した場合の利点を生かしつつ、金属触媒を使用せずに従来よりも低温かつ高収率でポリマーを得る方法が特許文献３に開示されている。しかし、分子量が不十分であり、ポリ乳酸のラセミ化が起きることから熱特性や機械特性が劣化するという課題があった。
【発明の概要】
【発明が解決しようとする課題】
【０００７】
本発明は、金属触媒を使用せず、かつ残存モノマー等の除去工程を必要とせずに、開環重合性モノマーから、１段階の工程で、残存モノマーが少なく、ラセミ化を起こさない高分子量のポリマーを高収率で製造できる方法の提供を目的とする。
【課題を解決するための手段】
【０００８】
上記課題は、下記（１）の発明によって解決される。
（１）圧縮性流体中で、少なくとも下記構造式（１）〜（３）のいずれかの構造式で表される化合物を触媒として用いて開環重合性モノマーを重合させることを特徴とするポリマーの製造方法。
【化１】
2016060897.tif 000002
（式中、Ｒ１およびＲ２はパーフルオロアルキル基を表し、Ｒ１およびＲ２はそれぞれ同一でも異なっていても良い。）
【化２】
2016060897.tif 000003
（式中、Ｒ１およびＲ２はパーフルオロアルキル基を表し、Ｒ１およびＲ２はそれぞれ同一でも異なっていても良い。また、Ｒ３はアリール基を表す。）
【化３】
2016060897.tif 000004
（式中、Ｒ１およびＲ２はパーフルオロアルキル基を表し、Ｒ１およびＲ２はそれぞれ同一でも異なっていても良い。）
【発明の効果】
【０００９】
本発明によれば、ポリマーの熱安定性、安全性を著しく劣化させる原因となる金属触媒を使用せず、かつポリマーの成形加工性、熱安定性を著しく劣化させる原因となる残存モノマー等の除去工程を必要とせずに、開環重合性モノマーから、１段階の工程で残存モノマーが少なく、光学純度の高い高分子量のポリマーも高収率で得られる製造方法を提供できる。
【図面の簡単な説明】
【００１０】
【図１】温度と圧力に対する物質の状態を示す一般的な相図。
【図２】本発明に係る圧縮性流体の範囲を定義する相図。
【発明を実施するための形態】
【００１１】
以下、上記本発明について詳しく説明する。
本発明は、圧縮性流体中で開環重合性モノマーを重合させる点、及び金属原子を含まない有機触媒を用いる点に特徴を有する。
従来、超臨界二酸化炭素を溶媒とする場合、二酸化炭素は、塩基性、求核性を有する物質と反応するとされていることから、リビングアニオン重合には適用できないとされていた（非特許文献２参照）。しかし、本発明はこの従来の知見を覆し、超臨界二酸化炭素中でも、安定的に塩基性、求核性を有する有機触媒が開環性モノマーに配位し、開環させることで、定量的に重合反応が進行し、結果的に重合反応がリビング的に進行することを見出した。ここでいうリビング的とは、移動反応・停止反応などの副反応を伴わず、定量的に反応が進行し、得られたポリマーの分子量分布が狭く単分散であることを意味する。
また、本発明によれば、金属原子を含まない有機触媒を用いるので前述した諸々の問題点を克服できる。
【００１２】
本発明における「圧縮性流体」とは、物質が、図１で表される相図の中で、図２に示す（１）、（２）、（３）の何れかの領域に存在するときの状態を意味する。
このような領域においては、物質はその密度が非常に高い状態となり、常温常圧時とは異なる挙動を示すことが知られている。なお、物質が（１）の領域に存在する場合には超臨界流体となる。超臨界流体とは、気体と液体とが共存できる限界（臨界点）を超えた温度・圧力領域において非凝縮性高密度流体として存在し、圧縮しても凝縮を起こさず、臨界温度以上かつ臨界圧力以上の状態にある流体のことである。また、物質が（２）の領域に存在する場合には液体となるが、本発明においては、常温(２５℃)、常圧(１気圧)において気体状態である物質を圧縮して得られた液化ガスを表す。また、物質が（３）の領域に存在する場合には気体状態であるが、本発明においては、圧力が１／２Ｐｃ以上の高圧ガスを表す。
【００１３】
圧縮性流体の状態で用いることができる物質としては、一酸化炭素、二酸化炭素、一酸化二窒素、窒素、メタン、エタン、プロパン、２，３−ジメチルブタン、エチレンなどが挙げられる。これらは１種を単独で使用しても、２種以上を併用してもよい。
中でも二酸化炭素は、臨界圧力が約７．４ＭＰａ、臨界温度が約３１℃であって、容易に超臨界状態を作り出せること、不燃性で取扱いが容易であることなどの点で特に好ましい。
また、反応の効率化、モノマーのポリマー転化率等を考慮すると、圧縮性流体が二酸化炭素の場合、その温度は２５℃以上であることが好ましく、圧力は５ＭＰａ以上であることが好ましい。より好ましくは超臨界流体の状態である。
重合時の圧力、すなわち圧縮性流体の圧力は、高圧ガス、液化ガス状態でも問題ないが、特に圧縮性流体へのモノマーの溶解性を高め、均一にかつ定量的に重合反応を進めるためには、超臨界状態となる圧力が好ましい。圧縮性流体が二酸化炭素の場合には、３．７ＭＰａ以上が必要であり、５ＭＰａ以上であることが好ましく、より好ましくは臨界圧力（Ｐｃ）の７．４ＰＭａ以上である。
【００１４】
本発明において重合させることができる開環重合性モノマーとしては、エステル結合を環内に有する環状エステル及びカーボネート結合を環内に有する環状カーボネートなどが挙げられる。
環状エステルとして、公知のものを特に制限なく用いることができるが、特に好ましいモノマーとしては、次の一般式１で表される化合物のＬ体又はＤ体を脱水縮合して得られる環状２量体が挙げられる。
〔一般式１〕  Ｒ−Ｃ＊−Ｈ（−ＯＨ）（ＣＯＯＨ）
（Ｒは炭素数１〜１０のアルキル基）
【００１５】
上記一般式１で表される化合物の具体例としては、乳酸の鏡像異性体、２−ヒドロキシブタン酸の鏡像異性体、２−ヒドロキシペンタン酸の鏡像異性体、２−ヒドロキシヘキサン酸の鏡像異性体、２−ヒドロキシヘプタン酸の鏡像異性体、２−ヒドロキシオクタン酸の鏡像異性体、２−ヒドロキシノナン酸の鏡像異性体、２−ヒドロキシデカン酸の鏡像異性体、２−ヒドロキシウンデカン酸の鏡像異性体、２−ヒドロキシドデカン酸の鏡像異性体などが挙げられる。これらの中でも、乳酸の鏡像異性体が反応性・入手性の観点から特に好ましい。これら環状２量体は単独で、あるいは数種を混合して使用することも可能である。
【００１６】
上記一般式１以外の環状エステルとしては、例えば、β−プロピオラクトン、β−ブチロラクトン、γ−ブチロラクトン、γ−ヘキサノラクトン、γ−オクタノラクトン、δ−バレロラクトン、δ−ヘキサラノラクトン、δ−オクタノラクトン、ε−カプロラクトン、δ−ドデカノラクトン、α−メチル−γ−ブチロラクトン、β−メチル−δ−バレロラクトン、グリコリッド、ラクタイドなどの脂肪族のラクトンを挙げることができる。特にε−カプロラクトンが反応性・入手性の観点から好ましい。
また、環状カーボネートとしてはエチレンカーボネート、プロピレンカーボネート等が挙げられるが、これらに限定されるものではない。
前記開環重合性モノマーは単独で、あるいは数種を混合して用いることも可能である。
【００１７】
本発明で用いる金属原子を含まない有機触媒としては、ラクチドもしくはポリ乳酸の分子内に存在するメチン基から水素の引き抜きを起こさないものがラセミ化を抑制する上で好ましく、その例としてブレンステッド酸が挙げられる。ブレンステッド酸が触媒する開環重合反応様式は、塩基触媒重合様式と異なり、モノマーのカルボニル基を活性化するため、分子内に存在するメチン基に関与しない。ブレンステッド酸として、トリフルオロメタンスルホン酸、ジアリールリン酸なども開環重合を触媒するが、前記構造式（１）〜（３）で表される化合物を触媒として用いることが好ましい。
【００１８】
構造式（１）〜（３）で表される化合物としては下記の構造式で表されるものが特に好ましい。
【００１９】
【化４】
2016060897.tif 000005
【００２０】
【化５】
2016060897.tif 000006
【００２１】
【化６】
2016060897.tif 000007
【００２２】
【化７】
2016060897.tif 000008
【００２３】
【化８】
2016060897.tif 000009
【００２４】
また、構造式（３−１）及び構造式（３−２）で示される化合物はそれぞれビス（トリフルオロメタンスルホン）イミド及びビス（ノナフルオロブタンスルホン）イミドである。
【００２５】
さらに有機触媒として、前記構造式（１−１）、（２−１）、（３−１）、（３−２）で表される化合物を使用した場合、高分子量のポリマーを得ることができる。ポリマーの分子量は、特に制限はなく、目的に応じて適宜選択することができるが、ポリマーの分子量Ｍｎは、食品包装材料などの場合は分子量Ｍｎ７００００以上が好ましく、８００００以上がさらに好ましい。
【００２６】
前記有機触媒の組み合わせ及び使用量は、圧縮性流体と開環重合性モノマーの組み合わせによって変わるので、一概に特定できないが、開環重合性モノマー１００モル％に対して、０．０１〜１５モル％が好ましく、より好ましくは０．１〜１モル％、さらに好ましくは０．３〜０．５モル％である。使用量が０．０１モル％未満では、重合反応が完了する前に有機触媒が失活し、目標とする分子量のポリマーが得られない場合がある。一方、使用量が１５モル％を超えると、重合反応の制御が難しくなる場合がある。
【００２７】
重合反応温度についても、圧縮性流体、開環重合性モノマー及び有機触媒の組み合わせなどによって変わるので、一概に特定できないが、通常の場合、重合反応温度は、４０〜１５０℃程度とし、好ましくは５０〜１２０℃、より好ましくは６０〜１００℃とする。４０℃未満では反応速度が低下しやすく、定量的に重合反応を進めることができない場合がある。また、１５０℃を超えると、解重合反応も平衡して起きるため、やはり定量的に重合反応が進みにくくなる。
重合反応時間は目標とする分子量に応じて適宜設定すればよい。分子量が３千〜３０万の範囲であれば、通常、２〜１２時間である。
また、重合反応を均一かつ定量的に進めるため、モノマーとの密度差によってポリマー粒子が沈降しないように、攪拌により密度差を補償してもよい。
重合時の圧力、すなわち圧縮性流体の圧力は、高圧ガス、液化ガス状態でも問題ないが、特に圧縮性流体へのモノマーの溶解性を高め、均一にかつ定量的に重合反応を進めるためには、超臨界状態となる圧力が好ましい。圧縮流体が二酸化炭素の場合、３．７ＭＰａ以上、好ましくは７．４ＰＭａ以上である。
【００２８】
重合に際しては、得られるポリマーの分子量を制御するために、開環重合開始剤を加えることが好ましい。開環重合開始剤としては、公知のものが使用でき、アルコール系であれば例えば脂肪族アルコールのモノ、ジ、又は多価アルコールのいずれでもよく、また飽和、不飽和のいずれであっても構わない。具体例としてはメタノール、エタノール、プロパノール、ブタノール、ペンタノール、ヘキサノール、ヘプタノール、ノナノール、デカノール、ラウリルアルコール、ミリスチルアルコール、セチルアルコール、ステアリルアルコール等のモノアルコール、エチレングリコール、１，２−プロパンジオール、１，３−プロパンジオール、１，３−ブタンジオール、１，４−ブタンジオール、ヘキサンジオール、ノナンジオール、テトラメチレングリコール、ポリエチレングリコール等のジアルコール、グリセロール、ソルビトール、キシリトール、リビトール、エリスリトール、トリエタノールアミン等の多価アルコール、及び乳酸メチル、乳酸エチル等が挙げられる。また、末端にアルコール残基を有するポリマーを使用することにより、ジブロック、トリブロック共重合体を合成することも可能である。
開環重合開始剤の使用量は、目標とする分子量に応じて適宜調整すればよく、開環重合性モノマー１００質量部に対して、０．１〜５質量部程度が好ましい。
また、必要に応じて重合反応後に重合停止剤（安息香酸、塩酸、燐酸、メタリン酸、酢酸、乳酸等）を用いることもできる。
【００２９】
さらに、本発明では、重合系に、圧縮性流体に溶解し、かつ圧縮性流体と開環重合性モノマーの双方に親和性を有する界面活性剤を共存させてもよい。例えば、圧縮性流体として二酸化炭素を用いた場合には、親ＣＯ２基と親モノマー基を分子内に持つ界面活性剤が使用でき、フッ素系界面活性剤やシリコン系界面活性剤が好ましい。上記界面活性剤として、構造中にアルコール等の活性水素を有する化合物を選択することによって、開始剤としての機能も付与することが可能となるので、より好ましい。
【００３０】
また、重合反応系内の水分量が、前記開環重合性モノマー１００モル％に対して、４モル％以下であることが好ましい。目的とする分子量にもよるが、それ以上の濃度であると、水分自体も開始剤として寄与するため分子量の制御が困難となる。より好ましくは１モル％以下、さらに好ましくは０．５モル％以下である。必要に応じて、前処理として、開環性モノマー、その他原材料に含まれる水分を除去する操作を加えてもよい。
【００３１】
上記開環重合性モノマーを重合させたポリマーは、用途に応じてウレタン結合やエーテル結合を導入することも可能である。このウレタン結合やエーテル結合は、開環重合性モノマーと同様に、イソシアネート化合物やグリシジル化合物を加えて圧縮性流体中で重付加反応させることにより導入できる。
分子構造を制御するために、開環重合性モノマーの重合反応終了後に、別途上記化合物を加えて反応させる方法がより好ましい。
【００３２】
イソシアネート化合物としては、イソホロンジイソシアネート、ヘキサメチレンジイソシアネート、リジンジイソシアネート、キシレンジイソシアネート、トリレンジイソシアネート、ジフェニルメタンジイソシアネート、シクロヘキサンジイソシアネートなど、従来公知の多官能性イソシアネート化合物が挙げられるが、特に限定されるものではない。
【００３３】
グリシジル化合物としては、ジエチレングリコールジグリシジルエーテル、ポリエチレングリコールジグリシジルエーテル、ネオペンチルグリコールジグリシジルエーテル、１，６−ヘキサンジオールジグリシジルエーテル、ジグリシジルテレフタレート等の従来公知の多官能グリシジル化合物が挙げられるが特に限定されるものではない。
【００３４】
前述したように、従来の開環重合性モノマーの溶融重合法では、１５０℃以上と高温での反応のため、ポリマー中にある一定量の未反応のモノマーが残存していることが一般的であり、そのため未反応のモノマーを除去する工程が必要となる場合がある。また、溶液重合法においても、得られたポリマーを固体で使用するためには溶媒を除去する工程が必要となることから、いずれの方法でも、工程の増加や、収率低下によるコストアップが避けられない。
【００３５】
しかし、本発明を開環重合性モノマーからのポリマー製造に応用した場合、下記の理由（１）〜（５）により、低コスト、低環境負荷、省エネルギー、省資源の点で優れ、成形加工性、熱安定性に優れたポリマーの提供が可能となる。
（１）溶融重合法と比較して、低温で反応が進む。
（２）低温で反応が進むので、副反応もほとんど起こらず、加えた開環重合性モノマーに対して高収率でポリマーが得られる（すなわち未反応の開環重合性モノマーが少ない）。
そのため、成形加工性、熱安定性に優れたポリマーを得るための未反応モノマーの除去等の精製工程を簡略化又は省略できる。
（３）ポリマーに金属触媒を含有しないので、その除去工程が不要である。
（４）廃液等も発生せず、乾燥したポリマーが１段階の工程で得られることから、乾燥工程も簡略化又は省略できる。
（５）従来法である溶融重合、溶液重合と比較して、本発明は圧縮性流体を用いて重合することで、可塑化効果によりポリマーが低粘度化するため高分子量体を得やすい。また、開環重合性モノマーとして鏡像異性体を用いた場合には、前述の構造式（１）〜（３）のいずれかの構造式で表される化合物を触媒として用いることで、ラセミ化を抑制し、高光学純度の機械的強度に優れたポリマーを得ることができる。
【００３６】
得られたポリマーは、食品包装材料や電子写真の現像剤、印刷用インク、建築用塗料、化粧品、医療用材料などの各種用途に用いることができる。
その際、成形性、二次加工性、分解性、引張強度、耐熱性、保存安定性、結晶性、耐候性等を向上させる目的で、各種添加剤、例えば、安定剤（エポキシ化大豆油、カルボジイミド等）、酸化防止剤（２，６−ジ−ｔ−ブチル−４−メチルフェノール、ブチルヒドロキシアニソール等）、防曇剤（グリセリン脂肪酸エステル、クエン酸モノステアリル等）、紫外線吸収剤、熱安定剤、難燃剤、内部離型剤、結晶核剤効果を持つ無機添加剤（クレイ、タルク、シリカ等）、帯電防止剤、表面ぬれ改善剤、焼却補助剤、顔料（酸化チタン、カーボンブラック、群青等）、滑剤、天然物等を添加し、ポリマー組成物として使用してもよい。
上記添加剤の配合量は、添加する目的や添加剤の種類によって異なるが、好ましくは、ポリマー組成物１００質量部に対して０〜５質量部である。
【００３７】
また、本発明は下記の（１）のポリマーの製造方法に係るものであるが、次の（２）〜（８）をも実施の形態として含む。
（１）圧縮性流体中で、少なくとも下記構造式（１）〜（３）のいずれかの構造式で表される化合物を触媒として用いて開環重合性モノマーを重合させることを特徴とするポリマーの製造方法。
【化１】
2016060897.tif 000010
（式中、Ｒ１およびＲ２はパーフルオロアルキル基を表し、Ｒ１およびＲ２はそれぞれ同一でも異なっていても良い。）
【化２】
2016060897.tif 000011
（式中、Ｒ１およびＲ２はパーフルオロアルキル基を表し、Ｒ１およびＲ２はそれぞれ同一でも異なっていても良い。また、Ｒ３はアリール基を表す。）
【化３】
2016060897.tif 000012
（式中、Ｒ１およびＲ２はパーフルオロアルキル基を表し、Ｒ１およびＲ２はそれぞれ同一でも異なっていても良い。）
（２）前記開環重合性モノマーのポリマー転化率が９５モル％以上であることを特徴とする上記（１）に記載のポリマーの製造方法。
（３）前記圧縮性流体が二酸化炭素からなることを特徴とする上記（１）または（２）に記載のポリマーの製造方法。
（４）前記開環重合性モノマーがエステル結合を環内に有するモノマーであることを特徴とする上記（１）〜（３）のいずれかに記載のポリマーの製造方法。
（５）前記エステル結合を環内に有するモノマーが、環状エステル又は環状カーボネートであることを特徴とする上記（４）に記載のポリマーの製造方法。
（６）前記環状エステルが、下記一般式１で表される化合物のＬ体及び／又はＤ体を脱水縮合して得られる環状２量体であることを特徴とする上記（５）に記載のポリマーの製造方法。
Ｒ−Ｃ＊−Ｈ（−ＯＨ）（ＣＯＯＨ）          （一般式１）
（Ｒは炭素数１〜１０のアルキル基）
（７）前記環状２量体がＬ体及び／又はＤ体の乳酸ラクチドであることを特徴とする上記（６）に記載のポリマーの製造方法。
（８）上記（７）に記載のポリマーの製造方法によって得られたポリ乳酸であって、乳酸ラクチドのＬ体由来の光学純度をＡ％とし、ポリ乳酸のＬ体由来の光学純度をＢ％とした場合、Ｂ＝（Ａ±２）％であることを特徴とするポリ乳酸。
【実施例】
【００３８】
以下、実施例及び比較例を示して本発明をさらに具体的に説明するが、本発明はこれらの実施例により何ら限定されるものではない。
なお、実施例及び比較例で得られたポリマーの分子量及びモノマーのポリマー転化率は次のようにして求めた。
【００３９】
＜ポリマーの分子量測定＞
ＧＰＣ（gel permeationchromatography）により以下の条件で測定した。
・装置：HLC-8320GPC EcoSEC（東ソー社製）・カラム：Ｈ5000及びH4000およびH3000（東ソー社製）
・温度：４０℃
・溶媒：ＴＨＦ（テトラヒドロフラン）
・流速：０．６ｍＬ／分
濃度０．２質量％の試料を１０μＬ注入し、上記の条件で測定したポリマーの分子量分布から単分散ポリスチレン標準試料により作成した分子量校正曲線を使用して数平均分子量Ｍｎ、質量平均分子量Ｍｗを算出した。
分子量分布は前記ＭｗをＭｎで除した値である。
【００４０】
＜モノマーのポリマー転化率（モル％）＝１００−未反応モノマー量（モル％）＞
ポリ乳酸の場合、未反応モノマー量（モル％）は、重クロロホルム中、日本電子社製核磁気共鳴装置ＪＮＭ−ＡＬ３００を使用し、ポリ乳酸由来の四重線ピーク面積比（５．１０〜５．２０ｐｐｍ）に対するラクチド由来の四重線ピーク面積比（４．９８〜５．０５ｐｐｍ）として算出し、これを１００倍したものである。
【００４１】
＜光学純度測定＞
測定試料を凍結粉砕し、その粉末を１Ｎ水酸化ナトリウム水溶液で４時間還流する。還流後の溶液を２Ｎ塩酸水溶液で中和し、以下のＨＰＬＣ分析に供し、得られたピーク面積比から光学純度を求めた。
ＨＰＬＣ：Ａｇｉｌｅｎｔ  Ｔｅｃｈｎｏｌｏｇｉｅｓ製  １１００
カラム  ：住化分析センター  SUMICHIRAL OA5000（４．６ｍｍＩ．Ｄ×１５０ｍｍ）
溶離液  ：２ｍＭ  ＣｕＳＯ４水溶液／２−プロパノール＝９５／５
流速    ：１．０ｍＬ／ｍｉｎ
検出器  ：ＵＶ（２５４ｎｍ）
カラム温度  ：２５℃
注入量  ：１０μＬ
【００４２】
［実施例１］
耐圧容器にモノマーとして、Ｌ−ラクチド（Ｌ体純度９９．５％）を６質量部、開始剤のエチルアルコールをモノマー１００モル％に対し３．３モル％、及び前記化（１）に示すビス（ペンタフルオロエチルスルホニル）メタン６．６モル％を仕込み、６０℃まで昇温した。
次いで、超臨界二酸化炭素（６０℃、１０ＭＰａ）を充填し、６０℃で５時間反応させた。その後、常温、常圧まで戻し、容器内部のポリマー（ポリ乳酸）を取り出した。
このポリマーについて前述の方法で求めた物性値を表１−１に示す。
【００４３】
［実施例２〜５］
触媒種、開始剤種、開始剤量、反応圧力、反応温度を表１−１に示すように変えた点以外は、実施例１と同様の操作を行い、ポリマーを得た。
但し、実施例４、５については、触媒量を１０モル％とし、反応時間を１０時間とした。
得られたポリマーについて前述の方法で求めた物性値を表１−１に示す。
【００４４】
［比較例１、２］
使用する有機触媒を、比較例１ではジアザビシクロウンデセン（ＤＢＵ）に、比較例２では、１,５,７−トリアザビシクロ[４.４.０]デカ−５−エン(ＴＢＤ)に、開始剤量、反応温度を、表１−２の比較例１、２の欄に示すように変えた点以外は、実施例１と同様の操作を行い、比較例１，２のポリマーを得た。
得られたポリマーについて前述の方法で求めた物性値を表１−２に示す。
【００４５】
［実施例６］
耐圧容器にモノマーとして、Ｌ−ラクチド（Ｌ体純度９９．５％）を６質量部、開始剤のエチルアルコールをモノマー１００モル％に対し３．３モル％、及びトリフルイミド６．６モル％を仕込み、６０℃まで昇温した。  次いで、超臨界二酸化炭素（６０℃、１０ＭＰａ）を充填し、６０℃で５時間反応させた。その後、常温、常圧まで戻し、容器内部のポリマー（ポリ乳酸）を取り出した。
このポリマーについて前述の方法で求めた物性値を表２−１に示す。
【００４６】
［実施例７〜１５］
開始剤、開始剤量、反応圧力、反応温度を表２−１、表２−２に示すように変えた点以外は、実施例１と同様の
操作を行い、ポリマーを得た。
得られたポリマーについて前述の方法で求めた物性値を表２−１、表２−２に示す。
【００４７】
［比較例３、４］
使用する有機触媒を、比較例３ではジアザビシクロウンデセン（ＤＢＵ）に、比較例４では、１，５，７−トリアザビシクロ［４．４．０］デカ−５−エン（ＴＢＤ）に、開始剤量、反応温度を、表２−３の比較例３、４欄に示すように変えた点以外は、実施例１と同様の操作を行い、比較例３、４のポリマーを得た。
得られたポリマーについて前述の方法で求めた物性値を表２−３に示す。
【００４８】
【表１−１】
2016060897.tif 000013
【００４９】
【表１−２】
2016060897.tif 000014
【００５０】
【表２−１】
2016060897.tif 000015
【００５１】
【表２−２】
2016060897.tif 000016
【００５２】
【表２−３】
2016060897.tif 000017
【先行技術文献】
【特許文献】
【００５３】
【特許文献１】特開２００８−６３４２０号公報
【特許文献２】特開２００９−１６１９号公報
【特許文献３】特開２０１１−２０８１１５号公報
【非特許文献】
【００５４】
【非特許文献１】Ｇａｎａｐａｔｈｙ，Ｈ．Ｓ．；Ｈｗａｎｇ，Ｈ．Ｓ．；Ｊｅｏｎｇ，Ｙ．Ｔ．；ＬＥＥ，Ｗ−Ｔ．；Ｌｉｍ，Ｋ．Ｔ．Ｅｕｒ  Ｐｏｌｙｍ  Ｊ．２００７，４３（１），１１９−１２６．
【非特許文献２】「超臨界流体の最新応用技術」、第１７３頁、２００４年３月１５日、株式会社エヌ・ティー・エス発行
【図１】
2016060897.tif 000022
【図２】
2016060897.tif 000023